(57)【要約】【課題】  磁気ヘッド移動機構がシャッタ部材の下方に位置している媒体処理装置において、磁気ヘッド移動機構に砂塵が進入するのを防止する。【解決手段】  開閉シャッタ１３は通帳１１の搬送路１２の一部を構成する。開閉シャッタ１３は支点１６を中心に回転可能で、下側に開くようになっている。開閉シャッタ１３の下方には磁気ヘッドキャリッジ１９が駆動シャフト１７およびガイドシャフト１８に沿って移動可能に設けられている。そして駆動シャフト１７およびガイドシャフト１８の上部に砂塵ガード２１ａ、２１ｂがそれぞれ設けられている。開閉シャッタ１３の開く動作により砂塵が落下しても駆動シャフト１７およびガイドシャフト１８に付着するのを防止する。【選択図】  図１
2006350952.tif 000002
【特許請求の範囲】
【請求項１】
シャフト部材に沿って移動しながら媒体に対して処理を行う処理部を有する媒体処理装置において、
前記シャフト部材の上方に該シャフト部材を覆うガード部材を設けたことを特徴とする媒体処理装置。
【請求項２】
シャフト部材に沿って移動しながら媒体に対して処理を行う処理部を有する媒体処理装置において、
前記シャフト部材の上方に回動可能に設けられたシャッタ部材と、
前記シャッタ部材に設けられ、該シャッタ部材が回動することにより前記シャフト部材に接触する清掃部材とを具備することを特徴とする媒体処理装置。
【請求項３】
シャフト部材に沿って移動しながら媒体に対して処理を行う処理部を有する媒体処理装置において、
前記処理部に取付けられ、該処理部が前記シャフト部材に沿って移動することにより該シャフト部材に接触して移動する清掃部材を設けたことを特徴とする媒体処理装置。
【発明の詳細な説明】
【技術分野】
【０００１】
本発明は、金融機関などで使用される通帳等の媒体に対して磁気データの書込み／読取りあるいは印字などの処理を行う媒体処理装置に関する。
【背景技術】
【０００２】
従来、通帳に設けられている磁気ストライプに対して磁気データの書込み／読取りを行う通帳処理装置においては、通帳を装置内に搬送する搬送方向に直交する方向に磁気ヘッドを移動させて磁気データの書込み／読取りを行うようにしている。磁気データの書込み／読取りを行わないときは、通帳の搬送ジャムを防止するために磁気ヘッドを通帳搬送路から退避させ、開閉可能なシャッタ部材で搬送路を塞ぐようにしている。
【０００３】
他方、通帳処理装置が具備されている自動取引装置には野外に設置されているものがあり、こうした装置においては通帳の挿入口から砂塵が進入する惧れがある。特に中国等の大陸においては黄砂に見舞われる場合がある。上述のシャッタ部材を具備する装置内にこのような砂塵が進入した場合、部品の損傷や動作不良を起こす惧れがある。
【０００４】
このような問題を解決するために、例えば特開２００３−１４１４５２号公報に開示される装置においては、シャッタ部材上に付着した砂塵を、磁気ヘッドキャリアに取付けられた清掃部材により、シャッタ部材に設けられた排塵溝へ落とし、さらに装置底面に設けられた集塵皿へ落とすようにしている。
【特許文献１】特開２００３−１４１４５２号公報
【発明の開示】
【発明が解決しようとする課題】
【０００５】
しかしながら、上記文献に開示されるような、砂塵をシャッタ部材上から装置底面に設けられた集塵皿へ落とし込むような機構は、磁気ヘッドを移動させるための移動機構がシャッタ部材の下方に位置している装置には、落下する砂塵が移動機構上に降りかかるため、適用できない。即ち、磁気ヘッド移動機構がシャッタ部材の下方に位置している装置に対しては、砂塵防止用の別の解決手段が望まれていた。
【課題を解決するための手段】
【０００６】
上記課題を解決するために、本発明は、シャフト部材に沿って移動しながら媒体に対して処理を行う処理部を有する媒体処理装置において、前記シャフト部材の上方に該シャフト部材を覆うガード部材を設けたことを特徴とするものである。
【０００７】
また他の発明は、シャフト部材の上方に回動可能に設けられたシャッタ部材と、前記シャッタ部材に設けられ、該シャッタ部材が回動することにより前記シャフト部材に接触する清掃部材とを具備するようにしたものである。
【０００８】
さらに他の発明は、処理部に取付けられ、該処理部がシャフト部材に沿って移動することにより該シャフト部材に接触して移動する清掃部材を設けたことを特徴とするものである。
【発明の効果】
【０００９】
上記構成の本発明によれば、シャフト部材の上方にガード部材を設けたことにより、砂塵が上方から落下してきても砂塵がシャフト部材に付着することを防止でき、部品の損傷あるいは動作不良を防止できる。
【００１０】
また他の発明によれば、シャッタ部材が回動する際に清掃部材がシャフト部材に接触して清掃するので、シャフト部材に付着することを防止でき、部品の損傷あるいは動作不良を防止できる。
【００１１】
さらに他の発明によれば、処理部がシャフト部材に沿って移動する際に清掃部材がシャフト部材に接触して清掃するので、シャフト部材に付着することを防止でき、部品の損傷あるいは動作不良を防止できる。
【発明を実施するための最良の形態】
【００１２】
以下、本発明を実施するためのいくつかの形態を図面に従って説明する。図１は本発明の第１の実施の形態の通帳処理装置の要部を示す側面図、図２は実施の形態の通帳処理装置のシステム構成を示す図、図３は第１の実施の形態の通帳処理装置の要部を示す平面図である。以下に説明する実施の形態では、媒体処理装置として通帳処理装置を例にして説明する。まず図２によりシステム構成について説明する。
【００１３】
図２において、通帳処理装置１は制御用パーソナルコンピュータ２に接続され、内部には磁気書込み／読取り部３および印字部４が設けられている。磁気書込み／読取り部３は、詳細は後述するが、磁気ヘッドを備え、通帳の磁気ストライプに対して磁気データの書込み又は読取りを行う。また印字部４は印字ヘッド５とプラテン６を有し、通帳に取引データの印字を行う。制御用パーソナルコンピュータ２は、本体部７と表示部８とから構成され、通帳処理装置１に対して接続コード９を介して制御コマンドを送信し、処理を実行させる。
【００１４】
図１、図３において、第１の実施の形態の通帳処理装置１には通帳挿入口１０が設けられ、ここから通帳１１が挿入される。挿入口１０に接続して通帳搬送路１２が形成されている。通帳搬送路１２は、上部ガイド１２ａ、下部ガイド１２ｂ、１２ｃおよび開閉シャッタ１３とで構成され、一対の搬送ローラ１４ａ、１４ｂが設けられている。上部ガイド１２ａの下面にはマグネットプレート１５が設けられている。
【００１５】
開閉シャッタ１３は、図示しない装置フレームに支点１６を中心に回転可能に取付けられ、図示しない駆動手段により少なくとも９０度は回転し、図１に点線で示す位置まで回転するようになっており、図１に示す水平の状態で位置保持できる機構および点線で示す垂直状態で位置保持できる機構を備えている。
【００１６】
開閉シャッタ１３の下方には駆動シャフト１７およびガイドシャフト１８が設けられており、両シャフト１７、１８に磁気ヘッドキャリッジ１９が摺動可能に取付けられている。磁気ヘッドキャリッジ１９は磁気ヘッド２０を搭載し、通帳１１の磁気ストライプ１１ａの下側を移動する。駆動シャフト１７はスクリューシャフトで構成され、図示しないモータにより駆動シャフト１７が回転することにより磁気ヘッドキャリッジ１９が図３に示す矢印Ａ−Ｂ方向に移動する。
【００１７】
磁気ヘッドキャリッジ１９は図１に示すように逆Ｔ字形状に形成されており、駆動シャフト１７およびガイドシャフト１８への嵌装部１９ａ、１９ｂの上方にはスペースが形成され、このスペースに砂塵ガード２１ａ、２１ｂが設けられている。砂塵ガード２１ａ、２１ｂは、搬送路１２の幅全体に亘って設けられ、図示しない装置フレームに固定されている。砂塵ガード２１ａ、２１ｂは駆動シャフト１７およびガイドシャフト１８の直径よりも広い幅に形成され、上方から落ちてくる砂塵が両シャフト１７、１８に付着するのを防止するものである。本実施の形態では砂塵ガード２１ａ、２１ｂはフィルム状部材で形成されるが、他の部材、例えば金属部材で形成してもよい。
【００１８】
磁気ヘッドキャリッジ１９は、磁気データの書込み又は読取りを行わないときは、図３に示すように通帳１１の搬送路１２より側方の退避位置に退避している。磁気ヘッド２０は磁気ヘッドキャリッジ１９に対して伸縮可能に設けられており、退避時は縮退状態になっており、磁気データの書込み／読取り時に上方へ伸張する。
【００１９】
次に第１の実施の形態における通帳処理装置の動作を説明する。ここでは通帳１１の磁気ストライプ１１ａに対して磁気ヘッド２０でデータを書込むまたは読取る動作を説明する。図４は第１の実施の形態における磁気データの書込み／読取り動作を示すフローチャート、図５、図６、図７は磁気データの書込み／読取り動作を示す動作説明図であり、こららの図に従って以下説明する。
【００２０】
図１において、通帳処理装置１の挿入口１０に通帳１１が挿入されると、図示しない検出センサにより挿入が検出され、搬送ローラ１４ａ、１４ｂが回転駆動され、挿入された通帳１１が図５に示すように装置内部へ搬送される（ステップ１）。この状態においては開閉シャッタ１３は水平状態に保持され、磁気ヘッドキャリッジ１９は図３に示す退避位置に位置している。
【００２１】
通帳１１が所定の位置まで搬送されると、図示しない検出センサにより検出され、搬送ローラ１４ａ、１４ｂの駆動が停止され、通帳１１は所定の位置で停止する（ステップ２）。このとき通帳１１の磁気ストライプ１１ａは図６に示すように水平状態の開閉シャッタ１３の上方に位置している。この状態から次に開閉シャッタ１３を開ける。即ち、図６に示すように下方へ９０度回転させる（ステップ３）。
【００２２】
次に図示しないモータにより駆動シャフト１７を回転させ、磁気ヘッドキャリッジ１９を退避位置から図３に示す矢印Ａ方向に移動し、磁気ヘッド２０を通帳１１の磁気ストライプ１１ａの下方に位置付ける。このとき磁気ヘッドキャリッジ１９は砂塵ガード２１ａ、２１ｂに干渉することなく移動する。そして図７に示すように、磁気ヘッドキャリッジ１９内のスプリング２３を使用して磁気ヘッド２０を上昇させ、磁気ストライプ１１ａに押し付ける（ステップ４）。
【００２３】
次に図示しないモータにより駆動シャフト１７を回転させて磁気ヘッドキャリッジ１９を移動させ、磁気ヘッド２０により磁気ストライプ１１ａから磁気データを読み取る又は磁気データを書き込む（ステップ５）。読取り動作または書込み動作が終了すると、磁気ヘッド２０を元に位置に下降し、図示しないモータにより駆動シャフト１７を回転させて磁気ヘッドキャリッジ１９を退避位置まで移動させる（ステップ６）。次に図示しない駆動手段により開閉シャッタ１３を図７に示す状態から反時計回り方向に回転させ、図５に示す水平状態に戻す（ステップ７）。
【００２４】
開閉シャッタ１３は通帳１１の挿入口１０に近く、挿入口１０から入り込んだ砂塵が開閉シャッタ１３の上部に溜まりやすい。上述のように、開閉シャッタ１３は磁気データの読取り／書込み時に開閉するので、上部に溜まった砂塵が駆動シャフト１７またはガイドシャフト１８上に付着する惧れがある。しかしながら本実施の形態では、砂塵ガード２１ａ、２１ｂが設けられているので、開閉シャッタ１３から落下した砂塵は砂塵ガード２１ａ、２１ｂ上に付着し、駆動シャフト１７及びガイドシャフト１８上には付着しない。
【００２５】
以上のように第１の実施の形態によれば、砂塵ガード２１ａ、２１ｂを設けたので、開閉シャッタ１３から落下した砂塵が駆動シャフト１７及びガイドシャフト１８上に付着するのを防止することができる。したがって砂塵が磁気データの読取り／書込みに悪影響を及ぼすのを防止することができる。
【００２６】
次に第２の実施の形態を説明する。図８は第２の実施の形態の通帳処理装置の要部を示す側面図である。図８において、第２の実施の形態の開閉シャッタ１３ａには、回転支点１６から見た先端部に清掃具２５が取付けられている。清掃具２５の長さは、開閉シャッタ１３ａが回転する際に清掃具２５の少なくとも先端部が駆動シャフト１７およびガイドシャフト１８に接触する長さに設定されている。清掃具２５は刷毛状に形成され、開閉シャフト１７の長さ（図３に示す矢印Ａ−Ｂ方向の長さ）全長に亘って設けられている。その他の構成は前記第１の実施の形態と同様である。なお第２の実施の形態では砂塵ガード２１ａ、２１ｂは設けられていない。
【００２７】
次に第２の実施の形態の動作をさらに図９にしたがって説明する。図９は第２の実施の形態の動作を示す動作説明図である。通帳１１が挿入口１０から挿入され、所定の位置に搬送されるまで開閉シャッタ１３ａは図８に示すように水平状態になっている。通帳１１が所定の位置まで搬送されると、図９に示すように、開閉シャッタ１３ａは時計回り方向に９０度回転する。
【００２８】
このとき図９に点線で示すように、清掃具２５の先端部２５ａが駆動シャフト１７に接触し、駆動シャフト１７に付着している砂塵を清掃する。さらに開閉シャッタ１３ａが回転すると、清掃具２５の先端部２５ａがガイドシャフト１８に接触し、ガイドシャフト１８に付着している砂塵を清掃する。そして図９に実線で示す位置で回転を停止する。次に第１の実施の形態で説明したように、磁気ヘッドキャリッジ１９が移動してきて通帳１１の磁気ストライプ１１ａに対して磁気データの読取りまたは書込みを行う。
【００２９】
このように、磁気ヘッドキャリッジ１９が移動を開始する直前に清掃具２５で駆動シャフト１７およびガイドシャフト１８を清掃するので、仮に砂塵が駆動シャフト１７またはガイドシャフト１８に付着していても、磁気データの読取り／書込みに悪影響を及ぼすのを防止することができる。
【００３０】
また、開閉シャッタ１３ａを開ける際、清掃具２５が駆動シャフト１７およびガイドシャフト１８にそれぞれ両方向から接触するように、開閉シャッタ１３ａを往復動作させるようにしてもよい。このようにすれば、清掃具２５が駆動シャフト１７またはガイドシャフト１８を通過した後に開閉シャッタ１３ａ上から落下した砂塵が駆動シャフト１７またはガイドシャフト１８に付着した場合でもこれらの付着砂塵を清掃することができる。往復動作を複数回実行すればさらに清掃効果が上がる。なお、清掃具２５の材質については限定されない。ゴム製のものでも他の材質を用いてもよい。
【００３１】
次に本発明の第３の実施の形態を説明する。図１０は第３の実施の形態の通帳処理装置の要部を示す正面図である。図１０において、第３の実施の形態においては、磁気ヘッドキャリッジ１９の移動方向の前後に清掃具２６、２７が取付けられている。清掃具２６、２７は刷毛状に形成され、磁気ヘッドキャリッジ１９が嵌装される駆動シャフト１７およびガイドシャフト１８の上部にそれぞれ設けられている。磁気ヘッドキャリッジ１９が駆動シャフト１７およびガイドシャフト１８上を移動する際に、駆動シャフト１７およびガイドシャフト１８の少なくとも上部に接触するように形成されている。その他の構成は第１の実施の形態と同様である。なお第３の実施の形態も砂塵ガード２１ａ、２１ｂは設けられていない。
【００３２】
次に動作を説明する。挿入された通帳１１が所定の位置まで搬送されると、図示しない開閉シャッタ１３が開き、磁気ヘッドキャリッジ１９が退避位置から図に示す矢印Ａ方向に移動する。開閉シャッタ１３が開いたときに、開閉シャッタ１３の上部に付着していた砂塵が落下する場合がある。落下した砂塵は駆動シャフト１７またはガイドシャフト１８の上部（図１０に示す１８ａ、１７ａの部分）に付着する。
【００３３】
磁気ヘッドキャリッジ１９が矢印Ａ方向に移動すると、移動方向の先頭部にある清掃具２６が上部１７ａ、１８ａを清掃し、砂塵が駆動シャフト１７またはガイドシャフト１８と磁気ヘッドキャリッジ１９との間に入り込まないようにする。また磁気ヘッドキャリッジ１９が矢印Ｂ方向に移動する場合は、清掃具２７がシャフト１７、１８の上部１７ａ、１８ａを清掃する。
【００３４】
このように第３の実施の形態によれば、駆動シャフト１７またはガイドシャフト１８に付着した砂塵を磁気ヘッドキャリッジ１９を移動させる際に清掃具２６、２７により清掃するので、砂塵が磁気ヘッドキャリッジ１９の移動動作に悪影響を及ぼすのを防止することができる。
【００３５】
本発明は上記の各実施の形態に限られるものではない。例えば、上記各実施の形態における砂塵ガードおよび清掃具を交換可能に設けるようにしてもよい。なおこれらの砂塵ガードおよび清掃具の材質も限定されるものではない。
【図面の簡単な説明】
【００３６】
【図１】本発明の第１の実施の形態の通帳処理装置の要部を示す側面図である。
【図２】実施の形態の通帳処理装置のシステム構成を示す図である。
【図３】第１の実施の形態の通帳処理装置の要部を示す平面図である。
【図４】第１の実施の形態における磁気データの書込み／読取り動作を示すフローチャートである。
【図５】第１の実施の形態の磁気データの書込み／読取り動作を示す動作説明図である。
【図６】第１の実施の形態の磁気データの書込み／読取り動作を示す動作説明図である。
【図７】第１の実施の形態の磁気データの書込み／読取り動作を示す動作説明図である。
【図８】第２の実施の形態の通帳処理装置の要部を示す側面図である。
【図９】第２の実施の形態の動作を示す動作説明図である。
【図１０】第３の実施の形態の通帳処理装置の要部を示す正面図である。
【符号の説明】
【００３７】
１    通帳処理装置
３    磁気書込み／読取り部
１１  通帳
１３  開閉シャッタ
１９  磁気ヘッドキャリッジ
２０  磁気ヘッド
２１ａ、２１ｂ  砂塵ガード
２５、２６、２７  清掃具
【図１】
2006350952.tif 000003
【図２】
2006350952.tif 000004
【図３】
2006350952.tif 000005
【図４】
2006350952.tif 000006
【図５】
2006350952.tif 000007
【図６】
2006350952.tif 000008
【図７】
2006350952.tif 000009
【図８】
2006350952.tif 000010
【図９】
2006350952.tif 000011
【図１０】
2006350952.tif 000012